(57)【特許請求の範囲】
【請求項１】
タック紙を構成する粘着剤層を介して配送伝票を配送物に貼付して使用するワンパート形式の配送伝票において、前記タック紙をなす長尺状の第二用紙であって前記第二用紙の粘着剤層形成面と反対側の面に対して、少なくとも控え票、配達票、貼付票をなす単位配送伝票を搬送方向に沿って多数配列してなる長尺状の第一用紙が接着剤層を介して積層され、かつ前記帳票のうちの控え票ならびに配達票は前記接着剤層と剥離可能に接着され、前記帳票のうちの貼付票は前記接着剤層と強固に接着され、前記控え票、前記配達票、前記貼付票のそれぞれを分離する分離線が前記第二用紙に達しないハーフカットとして前記第一用紙の短手方向に設けられ、前記分離線のそれぞれに当該分離線方向の長さとして０．３〜０．５ミリメートルのブリッジ状のアンカット部を少なくとも２箇所設け、さらに、前記単位配送伝票は前記タック紙を構成する剥離紙上にアイランド状となるように処理したことを特徴とする配送伝票。
【請求項２】
前記アンカット部の少なくとも一つを分離線の端部近傍に設けたことを特徴とする請求項１記載の配送伝票。
【請求項３】
前記控え票の配達票側コーナー部、ならびに前記配達票の貼付票側コーナー部に剥離開始部が設けられ、前記アンカット部を前記剥離開始部内の分離線に設けたことを特徴とする請求項１または２記載の配送伝票。
【請求項４】
前記剥離開始部に対向する領域は抜き加工により接着剤層を設けないようにしたことを特徴とする請求項３記載の配送伝票。
【請求項５】
前記剥離開始部に対向する領域の接着剤層は、他の領域より弱い接着力にしたことを特徴とする請求項３記載の配送伝票。
【請求項６】
前記アンカット部を３箇所から５箇所設けたことを特徴とする請求項１〜５何れか一項記載の配送伝票。
【発明の詳細な説明】
【技術分野】
【０００１】
本発明は、通販業界を始めとして種々の業界での配送業務で使用される配送伝票に関
し、特にワンパート形式の配送伝票に関する。
【背景技術】
【０００２】
近年、例えば特許文献１に見られるような、タック紙上に控え票、配達票、貼付票を分離線を介して連接した組みを単位帳票として、前記各単位帳票を多数配列してなる所謂ワンパート形式の配送伝票（以下、１パート配送伝票という）が多く利用されるようになってきた。
１パート配送伝票は、控え票、配達票、貼付票のそれぞれに同時にプリンター印字して使用される。代表的な１パート配送伝票は、剥離紙、粘着剤層、タック基紙が順に積層されてなる所謂タック紙の前記粘着剤層の形成された面（タック基紙裏面）に対して反対側の面（タック基紙表面）に、接着剤層を介して控え票と配達票と貼付票とを面状に形成した伝票用紙が設けられ、該伝票用紙のうちの少なくとも控え票と配達票はタック基紙表面から剥離可能な剥離構造を介して積層されている。
【０００３】
１パート配送伝票は上記のようにタック紙上に控え票、配達票、貼付票に代表される伝票用紙が設けられているので、コンピュータで管理されている配送情報に基づき、お届け先情報、依頼元情報、その他バーコード等の管理用の情報などを、プリンター装置を用いて伝票用紙上の所定個所に高速印字することが可能である。
【０００４】
１パート配送伝票を使用して配送物を流通させる際は、事前に所定事項がプリンター印字された１パート配送伝票を用意する。配送伝票を利用した配送物の流通上の仕組みから、最初に当該１パート配送伝票から剥離される伝票は控え票である。これは一般的に配送を依頼した依頼主に渡される伝票である。次に剥離される伝票は配達票である。これは配送会社が当該配送物を受取人に渡した証しとして受取人から前記配達票へ受領印あるいはサインを施してもらい、これを配送会社側が受け取るための伝票である。通常は受け取った配達票に付されているバーコードを用いてコンピュータで管理されている配送情報の消し込み処理などが行われる。貼付票は荷札としての役割を果たすものであり、当該配送物から脱落しないように剥離不可能に接着されている。
【０００５】
昨今、インターネットやＦＡＸ、ＯＣＲはがき等のメディアで申込を受け付ける通販業界では、顧客データが事前にデジタル化されているという背景から相性もよいため、他の業界以上に配送伝票の１パート化が進んでいる。その理由は、単に１パート配送伝票の製品単価が安いというだけではなく、これまでの同時複写タイプの配送伝票（多パート配送伝票）ではドットインパクト方式に限定されていた印字方式が、１パート配送伝票によれば様々な印字方式（例えば、レーザービームプリンター、インクジェットプリンター、感熱方式のプリンター、熱溶融転写方式のプリンターなど）に展開できるようになったことが大きく影響していると考えられる。
【０００６】
さらに、最近の動向としては、１パート配送伝票を長尺状のタック紙上に接着剤層を介して積層された伝票用紙のうち、伝票以外の不要部分（伝票周囲）を粕上げ処理によって取り除かれた単位帳票がアイランド状にラベルの如く配列された形態のものが見られる。（特許文献２参照）
【先行技術文献】
【特許文献】
【０００７】
【特許文献１】特開２００３−４３９２５号公報
【特許文献２】特開２００３−５６４８号公報
【発明の概要】
【発明が解決しようとする課題】
【０００８】
上記のように１パート配送伝票の最表面に位置する伝票用紙はタック紙上に剥離可能に擬似接着され、伝票用紙はハーフカットによって幾つかの伝票に区分されている。このような１パート配送伝票が長尺状に配列された帳票をプリンターやラベラーで搬送すると、伝票用紙の一部が浮き上がったり、捲れ（めくれ）たりする場合がある。
特に、前記帳票が巻き取りタイプの場合は、そのままプリンター印字とラベラー処理を行うと、帳票の搬送パスがジグザグに曲がっていたりするために、上記の浮き上がり、或いは、捲れは一層顕著になり、意図せずに伝票が剥離してしまう場合がある。
【０００９】
このような浮き上がり、或いは、捲れを防止するために、例えば特許文献２のように伝票用紙をハーフカットによって区分せずに、ハーフカットに代えてミシン目で分離可能に区分することが考えられる。これより浮き上がり、あるいは、捲れの発生については防止されるが、各伝票の剥離の容易性が失われてしまうため、使い勝手が悪くなるという課題がある。また、伝票端部にミシン目の痕跡が残り見た目が悪くなるという課題もある。さらに、ミシン目による各伝票間の結合が強いと、剥離しようとした伝票以外の伝票も一緒に剥離されてしまうという課題もある。
【００１０】
そこで本発明は、長尺状のタック紙上に形成された１パート形式の配送伝票において、プリンターやラベラーなどの装置を使用して伝票用紙に所定の情報をプリント印字して配送物に貼っても、伝票の一部が浮き上がったり、捲れたりすることのない配送伝票の提供を目的とする。
【課題を解決するための手段】
【００１１】
本発明の配送伝票は、以下の各態様に記載の手段により上記の課題を解決するものである。
【００１２】
本発明の第１の態様は、タック紙（７０）を構成する粘着剤層（２１０）を介して配送伝票を配送物に貼付して使用するワンパート形式の配送伝票において、前記タック紙（７０）をなす長尺状の第二用紙であって前記第二用紙の粘着剤層（２１０）形成面と反対側の面に対して、少なくとも控え票（１１）、配達票（１２）、貼付票（１３）をなす単位配送伝票を搬送方向に沿って多数配列してなる長尺状の第一用紙が接着剤層（１１０）を介して積層され、かつ前記帳票のうちの控え票（１１）ならびに配達票（１２）は前記接着剤層（１１０）と剥離可能に接着され、前記帳票のうちの貼付票（１３）は前記接着剤層（１１０）と強固に接着され、前記控え票（１１）、前記配達票（１２）、前記貼付票（１３）のそれぞれを分離する分離線（４０）が前記第二用紙に達しないハーフカットとして前記第一用紙の短手方向に設けられ、前記分離線（４０）のそれぞれに当該分離線（４０）方向の長さとして０．３〜０．５ミリメートルのブリッジ状のアンカット部（６０）を少なくとも２箇所設け、さらに、前記単位配送伝票は前記タック紙（７０）を構成する剥離紙上にアイランド状となるように処理したことを特徴とするものである。
【００１３】
本発明の第２の態様は、前記第１の態様において、前記アンカット部（６０）の少なくとも一つを分離線の端部近傍に設けたことを特徴とするものである。
【００１４】
本発明の第３の態様は、前記第１または第２の態様において、前記控え票の配達票側コーナー部、ならびに前記配達票の貼付票側コーナー部に剥離開始部が設けられ、前記アンカット部（６０）を前記剥離開始部内の分離線に設けたことを特徴とするものである。
【００１５】
本発明の第４の態様は、前記第３の態様において、前記剥離開始部（５１、５２）に対向する領域は抜き加工により接着剤層を設けないようにしたことを特徴とするものである。
【００１６】
本発明の第５の態様は、前記第３の態様において、前記剥離開始部（５１、５２）に対向する領域の接着剤層は、他の領域より弱い接着力にしたことを特徴とするものである。
【００１７】
本発明の第６の態様は、前記第１から第５の何れかの態様において、前記アンカット部（６０）を３箇所から５箇所設けたことを特徴とするものである。
【発明の効果】
【００１９】
本発明によれば、控え票、配達票、貼付票を分離する分離線のそれぞれにブリッジ状のアンカット部を設けたことにより、前記アンカット部によって伝票同士が連結した状態となることから、プリンターやラベラーなどの装置内の搬送パスがジグザグに曲がっていたとしても、伝票の「浮き上がり」や「捲れ」を防止できるという作用効果がある。
【００２１】
また、本発明によれば、伝票を剥離し分離した後のブリッジ状のアンカット部の痕跡は実質的に目視できない程度であり、伝票端部の見た目が悪くなることがない、という作用効果がある。
【図面の簡単な説明】
【００２２】
【図１】本発明にかかる配送伝票の全体を示す図であって、図１（ａ）は斜視図、同図（ｂ）は平面図である。
【図２】本発明にかかる配送伝票の断面図であって、図２（ａ）は図１（ｂ）のＡ−Ａ線断面図、図２（ｂ）は控え票又は配達票の部分拡大断面図、図２（ｃ）は貼付票の部分拡大断面図である。
【図３】本発明にかかる配送伝票のアンカット部を説明する平面図である。
【発明を実施するための形態】
【００２３】
以下、本発明の実施の形態について図面を参照して説明する。
図１（ａ）は本発明の配送伝票の実施形態の一例を示す斜視図である。同図（ｂ）はその平面図である。図２（ａ）は図1（ｂ）のＡ−Ａ線断面図、図２（ｂ）は控え票又は配達票の部分拡大断面図、図２（ｃ）は貼付票の部分拡大断面図である。
【００２４】
図１（ｂ）、図２（ａ）において、１１は控え票、１２は配達票、１３は貼付票、４０は分離線を示しており、各伝票は分離線４０を介して列状に連接されてなる帳票である。そして、本実施形態の配送伝票は、図１（ａ）の如く前記帳票を単位帳票１０として該単位帳票１０が長尺状のタック紙７０上に接着剤層１１０を介して多数配列され、ロール状に巻き取られてたた状態になっている。図中Ｐはプリンターやラベラーへ装着した際の搬送方向を示している。
【００２５】
なお、図１（ｂ）に示されるように、本実施形態のものは、本来の伝票として機能する単位帳票１０に相当する領域以外の不要部分を粕上と呼ばれる処理によって剥離紙上から除去することによって、剥離紙上にアイランド状の単位帳票１０を配列するようにしている。
【００２６】
図２（ａ）、（ｂ）において、１００は第１用紙、２００は第２用紙、３００は第３用紙、１０１、３０３は剥離剤層、１１０は接着剤層、２１０は粘着剤層を示している。
【００２７】
上記第１用紙としては、用紙坪量が６８〜７８グラム／平方メートル、用紙厚さが８１〜８９マイクロメートル程度のものが一般的である。
【００２８】
上記タック紙７０は第２用紙２００、粘着剤層２１０、剥離剤層３０３、第３用紙３００が順に積載されてなるものである。なお、一般に、第２用紙２００はタック基材とも呼ばれている。また、第３用紙３００の上（粘着剤層側）に剥離剤層３０３が形成された部分は一般に剥離紙とも呼ばれている。
【００２９】
上記の接着剤層を形成するための接着剤としては、例えばアクリル系樹脂、酢酸ビニル系樹脂、ＥＶＡ（EthyleneVinyl Acetate）系樹脂、ウレタン系樹脂などの何れかを主成分とするエマルジョン系の接着剤を用いることができる。また、上記剥離剤層を形成するための剥離インキとしては、例えばシリコーンを混合させた紫外線硬化型オフセットインキを用いることができる。
【００３０】
次に、第１用紙１００とタック紙７０との関係を説明する。第１用紙１００は配送伝票の最表面に位置する用紙であって、控え票１１、配達票１２、貼付票１３の各伝票を構成するものである。図２（ｂ）に示すように第１用紙１００のうちの控え票１１と配達票１２となる領域は、当該領域に対応する第１用紙１００の裏側に剥離剤層１０１が設けられ、前記剥離剤層１０１と接着剤層１１０を介してタック紙７０と剥離可能に接着されている。
【００３１】
即ち、前記剥離剤層１０１と前記接着剤層１１０により擬似接着構造が構成され、この擬似接着構造により控え票１１ならびに配達票１２はタック紙７０から剥離することが可能となる。
【００３２】
図２（ｃ）に示すように第１用紙１００のうちの貼付票１３となる領域は、直接接着剤層１１０を介してタック紙７０（第２用紙２００）に接着されている。したがって、貼付票１３とタック紙７０（第２用紙２００）とは強固に接着され一般的に剥離不可能となる。
【００３３】
図１（ｂ）に示すように控え票１１、配達票１２、貼付票１３はそれぞれの領域を区分するとともに分離するための分離線４０が設けられている。分離線４０は、長尺状のタック紙７０の上に配列された各単位帳票に対して、当該タック紙７０の短手方向に設けられている。図２（ａ）に示すように、前記分離線４０は第１用紙１００を分離するために、第２用紙２００に達しないハーフカットとして形成されている。なお、前記ハーフカットは剥離剤層あるいは接着剤層まで達していてもよい。
【００３４】
図２（ｂ）に示すように、伝票の剥離を容易にするために、控え票１１の配達票側コーナー部に剥離開始部５１が設けられている。同様に前記配達票の貼付票側コーナー部に剥離開始部５２が設けられている。このような位置関係となるように剥離開始部を設けたので、控え票１１の剥離開始部５１から控え票１１を剥離しても隣接する配達票１２が影響を受けことがない。従って、控え票１１を剥離した際に隣接する配達票１２が一緒に剥離することがない。
【００３５】
次にアンカット部について説明する。本発明のアンカット部６０とは、上記のように第１用紙１００上からハーフカットを入れて第１用紙に分離線４０を形成する際に、分離線４０となる線上の一部にハーフカットを入れないようにして分離線上に形成したブリッジ状に繋がっている部分を意味するものである。
【００３６】
図３は本発明の配送伝票のアンカット部を説明する平面図である。図中、分離線上に示した小さな円形状破線はアンカット部６０を設けた位置を示している。図３（ａ）はアンカット部６０を分離線４０上の５箇所に設け、そのうち２箇所を分離線４０の端部近傍に設けた例を示している。図３（ａ）の例では分離線４０の端部近傍に設けたアンカット部６０の一方が剥離開始部５１、５２となる領域（直角三角形の領域）の一辺をなす分離線上に設けられている。図３（ａ）の例はアンカット部を５箇所設けた例を示しているが、両端の２箇所でもよい。図３（ｂ）はアンカット部６０を分離線４０上の４箇所に設け、そのうち１箇所を剥離開始部のない側の分離線４０の端部近傍に設け、剥離開始部のある側は剥離開始部５１、５２の外側近傍の分離線上に設けた例を示している。図３（ｂ）の例はアンカット部を４箇所設けた例を示しているが、両端の２箇所でもよい。
【００３７】
剥離開始部５１、５２による剥離をやり易くするために剥離開始部の構成を改善する場合がある。例えば、剥離開始部５１、５２に対応する領域のみ接着剤層を設けないように所謂「抜き加工」を施すことが行われている。あるいは、剥離開始部５１、５２に対応する領域のみ接着剤層の接着力を弱くする処理を施すことが行われている。このような処理を施すことにより剥離開始部による剥離がやり易くなるが、その反面、使用前の配送伝票において既に剥離開始部が捲れていたり、あるいは、プリンターやラベラーへ装着して使用した際に剥離開始部が捲れ上がり使用不能の事態が発生する可能性がある。
【００３８】
そこで、上記のような剥離開始部に対して抜き加工や接着力を弱くする処理を行う場合は図３（ａ）のように剥離開始部となる領域の一辺をなす分離線上にアンカット部を設ける。これにより剥離開始部の捲れ上がりが防止できる。
【００３９】
［実施例１］
第１用紙としては、用紙坪量が７３．３グラム／平方メートルの上質紙を使用した。
接着剤層を形成するための接着剤としては、ＥＶＡ（EthyleneVinyl Acetate）系樹脂を主成分とするエマルジョン系接着剤を使用した。
剥離剤層を形成するための剥離インキとしては、シリコーン含有紫外線硬化型オフセットインキを使用した。
配送伝票の形態としては、図３（ａ）の実施形態において、アンカット部６０を５箇所設けた。なお、剥離開始部５１、５２に対する抜き加工や接着力を弱くする処理を施さない形態とした。
【００４０】
図３（ａ）に示したｄ１〜ｄ６は、各分離線上に形成したアンカット部の位置関係を示すものである。ｄ１、ｄ６は帳票端部からアンカット部の中心までの距離を示している。ｄ２〜ｄ５はアンカット部の中心から中心までの距離を示している。
ｄ１  ・・・  １ミリメートル
ｄ２  ・・・２５ミリメートル
ｄ３  ・・・２６ミリメートル
ｄ４  ・・・２６ミリメートル
ｄ５  ・・・２５ミリメートル
ｄ６  ・・・  １ミリメートル
上記位置関係にある各アンカット部に対してアンカット部の幅（分離線方向の長さ）が０．３ミリメートル、０．４ミリメートル、０．５ミリメートルとなる単位帳票が多数長尺状に配列され、ロール状に巻き取られた形態の配送伝票をそれぞれ作成した。
上記の各配送伝票を感熱プリンターに装填して搬送試験を行った。
【００４１】
上記感熱プリンターは、株式会社サトー製「スキャントロニクスＭＴ４００ｅ」にオプションの外部巻取装置（RWG500）と外部供給装置（UW400）を装着したものである。
【００４２】
その結果、アンカット部の幅が０．３ミリメートルにおいてはアンカット部が一部切れているものがあったが大多数は繋がった状態が維持されていた。アンカット部の幅が０．４ミリメートル、ならびに０．５ミリメートルのものは全て繋がった状態が維持されていた。
剥離適性を調べた結果、０．３ミリメートル、０．４ミリメートル、０．５ミリメートル何れの幅においても控え票を剥離する際に意図せずに配達票が剥離することはなかった。
なお、上記剥離適性は控え票１１の剥離開始部５１を摘んで対角線方向に上方４５度方向に剥ぎ取るようにして行った。
【００４３】
［実施例２］
実施例１において、アンカット部６０を２箇所のみとした点以外は、実施例１と同じ条件とした。形成したアンカット部６０は、ｄ１とｄ６の位置にあるアンカット部のみである。
その結果、実施例１と略同じ結果が得られた。
【００４４】
［実施例３］
配送伝票の形態としては、図３（ｂ）の実施形態において、アンカット部６０を４箇所設けた点以外は、実施例１と同じ条件とした。
図３（ｂ）に示したｄ１０〜ｄ１４は各分離線上に形成したアンカット部の位置関係を示すものである。ｄ１０、ｄ１４は帳票端部からアンカット部の中心までの距離を示している。ｄ１１〜ｄ１３はアンカット部の中心から中心までの距離を示している。
ｄ１０  ・・・  １ミリメートル
ｄ１１  ・・・３０ミリメートル
ｄ１２  ・・・３０ミリメートル
ｄ１３  ・・・３０ミリメートル
ｄ１４  ・・・１３ミリメートル
上記位置関係にある各アンカット部に対してアンカット部の幅（分離線方向の長さ）が０．３ミリメートル、０．４ミリメートル、０．５ミリメートルとなる配送伝票をそれぞれ作成した。
上記の各配送伝票を感熱プリンターに装填して搬送試験を行った。
その結果、実施例１と略同じ結果が得られた。
【００４５】
［実施例４］
上記図３（ｂ）の実施形態の配送伝票において、アンカット部を２箇所に設けた点以外は、実施例１と同じ条件とした。形成したアンカット部６０は、ｄ１０とｄ１４の位置にあるアンカット部のみである。
その結果、実施例１と略同じ結果が得られた。
【００４６】
［実施例５］
図３（ａ）の形態の配送伝票において、剥離開始部５１、５２に対する抜き加工を施し、アンカット部６０をｄ１とｄ６の位置の２箇所のみとし、かつ、アンカット部の幅が０．４ミリメートル、０．５ミリメートルとなる配送伝票をそれぞれ作成した。
上記以外は、実施例１と同じ条件とした。
その結果、実施例１と略同じ結果が得られた。
【００４７】
［実施例６］
図３（ａ）の形態の配送伝票において、剥離開始部５１、５２に対する接着力を弱くする処理を施し、アンカット部６０をｄ１とｄ６の位置の２箇所のみとし、かつ、アンカット部の幅が０．４ミリメートル、０．５ミリメートルとなる配送伝票をそれぞれ作成した。
上記接着力を弱くする処理は、剥離開始部５１、５２に対向する接着剤層の表面にオフセット印刷で網点面積率４０％のメジウムインキを形成する方式とした。
上記以外は、実施例１と同じ条件とした。
その結果、実施例１と略同じ結果が得られた。
【００４８】
［比較例１］
アンカット部の幅以外は上記実施例１の配送伝票と同じ条件とした。
アンカット部６０の幅が０．２ミリメートル、０．６ミリメートルとなる配送伝票をそれぞれ作成した。
その結果、アンカット部６０の幅が０．２ミリメートルのものは大多数のアンカット部が切れた状態となった。
アンカット部の幅が０．６ミリメートルのものは全て繋がった状態が維持された。
剥離適性を調べた結果、０．６ミリメートルのものは控え票を剥離する際にアンカット部が切れずに配達票も一緒に剥離した。また剥離した際にアンカット部から破れてしまう傾向があった。
【００４９】
［比較例２］
アンカット部６０の幅以外は上記実施例２の配送伝票と同様と同じ条件とした。
アンカット部６０の幅が幅が０．２ミリメートル、０．６ミリメートルとなる配送伝票をそれぞれ作成した。
その結果、比較例１と略同様の結果が得られた。
【００５０】
［比較例３］
アンカット部の幅以外は上記実施例３の配送伝票と同じ条件とした。
アンカット部６０の幅が０．２ミリメートル、０．６ミリメートルとなる配送伝票をそれぞれ作成した。
その結果、比較例１と略同様の結果が得られた。
【００５１】
［比較例４］
アンカット部の幅以外は上記実施例４の配送伝票と同じ条件とした。
アンカット部６０の幅が０．２ミリメートル、０．６ミリメートルとなる配送伝票をそれぞれ作成した。
その結果、比較例１と略同様の結果が得られた。
【００５２】
［比較例５］
実施例５において配送伝票の形態を図３（ｂ）に代えて、アンカット部６０をｄ１０とｄ１４の位置の２箇所のみとし、かつ、アンカット部の幅が０．４ミリメートル、０．５ミリメートルとなる配送伝票をそれぞれ作成し同様の試験を行った。
その結果、大多数の配送伝票の剥離開始部に折れ曲りや捲れが生じた。さらに配送伝票の剥離開始部側のアンカット部の幅が０．４ミリメートルの配送伝票のアンカット部が切れた状態となったものも僅かに存在した。
【００５３】
［比較例６］
実施例６において配送伝票の形態を図３（ｂ）に代えて、アンカット部６０をｄ１０とｄ１４の位置の２箇所のみとし、かつ、アンカット部の幅が０．４ミリメートル、０．５ミリメートルとなる配送伝票をそれぞれ作成し同様の試験を行った。
その結果、半数近くの配送伝票の剥離開始部に折れ曲りや捲れが生じた。何れの幅のアンカット部においても切れた状態となったものは存在しなかった。
【符号の説明】
【００５４】
１・・・配送伝票
１０・・・単位帳票
１１・・・控え票
１２・・・配達票
１３・・・貼付票
４０・・・分離線
５１、５２・・・剥離開始部
６０・・・アンカット部
７０・・・タック紙
１００・・・第一用紙
２００・・・第二用紙
３００・・・第三用紙
１０１、３０３・・・剥離剤層
１１０・・・接着剤層
２１０・・・粘着剤層
【図１】
0005699330.tif 000002
【図２】
0005699330.tif 000003
【図３】
0005699330.tif 000004